(57)【特許請求の範囲】
【請求項１】
前後一対の縦桟(9)(10) を有する縦枠材(6) を備え、該縦枠材(6) に対応する位置に開閉動作を規制する落とし棒(21)(22)を備えた門扉において、前後一対の各縦桟(9)(10) に対応して配設され且つ一体に上下動可能に連結された前後一対の落とし棒(21)(22)と、該前後一対の落とし棒(21)(22)に前後動可能に挿通され且つ前後両端に手動操作用の摘まみ体(39)(40)を有する連結ロッド(36)と、前後一対の落とし棒(21)(22)を上昇位置で係脱自在に保持する係脱機構(47)とを備え、係脱機構(47)は連結ロッド(36)の連結板(43)の上端部に設けられた係合突起(48)と、連結ロッド(36)の前後動により係合突起(48)が係脱自在に係合する被係止面(53)及び係合突起(48)をガイドする傾斜面(54)を有する被係合体(50)とを備え、係合突起(48)が被係合体(50)に係合する方向に連結ロッド(36)を付勢する弾性付勢体(55)を設けたことを特徴とする門扉の落とし棒装置。
【発明の詳細な説明】
【０００１】
【発明の属する技術分野】
本発明は、門扉の落とし棒装置に係り、詳しくは、伸縮門扉等においてその開閉動作を規制するための落とし棒を備えた装置に関するものである。
【０００２】
【従来の技術】
従来より、伸縮門扉、折り畳み式門扉、観音開き式門扉等の各種門扉においては、それを開状態及び／又は閉状態にロックする手段として、落とし棒装置が広く採用されるに至っている。
【０００３】
この落とし棒装置の具体例として、実開平６−１２６７４号公報によれば、伸縮方向に所定間隔をおいて配置された複数個の縦枠材と、この各縦枠材を伸縮方向に連結するパンタグラフ機構とを備え、各縦枠材とパンタグラフ機構とを固定枢軸で連結した伸縮門扉において、その適宜位置の縦枠材内に落とし棒を上下動自在に設けると共に、 落とし棒の上端側に操作用の摘まみ棒を設け、この摘まみ棒が上下動自在に貫通する上下方向の摘まみ棒溝を縦枠材に設けた構成が開示されている。
【０００４】
この場合、同公報に開示された装置によれば、伸縮門扉の構成要素である縦枠材には、伸縮方向と直交する前後方向に対して所定幅だけ離間して一対の縦桟が配列されており、落とし棒は、この一対の縦桟のうちの前側又は後側のいずれか一方の縦桟についてのみ上下動自在に設けられる構成とされている。
【０００５】
【発明が解決しようとする課題】
しかしながら、従来のように、前後一対の縦桟のうちのいずれか一方の縦桟についてのみ落とし棒が設けられていたのでは、この落とし棒を上下動操作してロック及び解除を行う場合に、伸縮門扉の前側空間又は後側空間のいずれか一方側の空間すなわち落とし棒が設けられている縦桟側の空間からのみ良好に行えるに留まる。従って、他方側の空間すなわち落とし棒が設けられていない縦桟側の空間から落とし棒を上下動操作しようとしても、パンタグラフ機構等が邪魔になって、その操作が極めて困難となり、操作性の悪化を招くという不具合を有していた。
【０００６】
また、従来のように、いずれか一方の縦桟についてのみ落とし棒を設ける構成によれば、落とし棒が下動してロック状態にある時に、風圧等の影響を受けて門扉に落とし棒を支点として捩り方向の力が作用した場合には、門扉にガタツキ或いは揺れ動き等が生じ、ロック時における充分な剛性を確保できないという問題をも有していた。
【０００７】
本発明は、かかる従来の課題に鑑み、門扉の前側及び後側のいずれからであっても落とし棒を容易且つ適切に操作できると共に、落とし棒によるロック時における門扉の風圧等に対する剛性を可及的に高めることができる門扉の落とし棒装置を提供することを目的とする。
【０００８】
【課題を解決するための手段】
本発明は、前後一対の縦桟9 ，10を有する縦枠材6 を備え、該縦枠材6 に対応する位置に開閉動作を規制する落とし棒21，22を備えた門扉において、前後一対の各縦桟9 ，10に対応して配設され且つ一体に上下動可能に連結された前後一対の落とし棒21，22と、該前後一対の落とし棒21，22に前後動可能に挿通され且つ前後両端に手動操作用の摘まみ体39，40を有する連結ロッド36と、前後一対の落とし棒21，22を上昇位置で係脱自在に保持する係脱機構47とを備え、係脱機構47は連結ロッド36の連結板43の上端部に設けられた係合突起48と、連結ロッド36の前後動により係合突起48が係脱自在に係合する被係止面53及び係合突起48をガイドする傾斜面54を有する被係合体50とを備え、係合突起48が被係合体50に係合する方向に連結ロッド36を付勢する弾性付勢体55を設けたものである。
【０００９】
【発明の実施の形態】
以下、本発明の一実施形態を図面に基づいて詳述する。図１(a),(b) はそれぞれ、本発明に係る門扉の落とし棒装置1 の周辺全体構成を示す平面図及び正面図である。同図に示すように、出入口の左右両端には、 吊り元支柱2 と戸当たり支柱3 とが配置されていると共に、これらの支柱2,3 はいずれも逆Ｕ字状に構成されて地面4 に立設されている。一方、 門扉本体5 は、伸縮方向に等間隔をおいて上下方向に配置された複数個の縦枠材6 と、これらの各縦枠材6 を伸縮自在に連結するパンタグラフ機構7 とを備えている。そして、門扉本体5 の伸縮方向中央部と戸当たり支柱3 側端部とにおいてはそれぞれ、一対の縦枠材6 が複数個の連結ジョイント8 により連結されて重合状となっており、 この２箇所における縦枠材6 の重合状部分にそれぞれ落とし棒装置1 が配設されている。
【００１０】
図１及び図２に示すように、縦枠材6 は、幅狭の前縦桟9 と幅広の後縦桟10とを上端の連結部11及び下端の連結部12により一体的に連結したものであって、 矩形の枠状に構成されている。そして、これらの多数の縦枠材6 のうちの吊り元支柱2 側端部の縦枠材6 は、複数個の連結具13を介して吊り元支柱2 に連結されている一方、戸当たり支柱3 側端部の縦枠材6 には、 この縦枠材6 を戸当たり支柱3 に当接させた状態で施錠するための施錠手段14と、開閉操作用の把手15とが配設されている。また、これらの多数の縦枠材6 のうちの図例では４個の縦枠材6 には、 それらの下端部にそれぞれ前後一対の走行輪ユニット16が取り付けられている。なお、前縦桟9 、後縦桟10及び上下端の連結部11,12 は、 角筒体により構成されている。
【００１１】
パンタグラフ機構7 は、複数本の右上がり傾斜リンク17と右下がり傾斜リンク18とを交差状に連結したものであり、これらのリンク17,18 は、各縦枠材6 の前縦桟9 と後縦桟10との間に配置されている。また、このパンタグラフ機構7 の右上がり傾斜リンク17と右下がり傾斜リンク18とは、相互に隣接する縦枠材6 間の上下２箇所の枢軸19を介して交差連結されていると共に、各縦枠材6 の上下３箇所に配備された枢軸20を介して交差連結されている。この場合、縦枠材6 の３箇所に配備された各枢軸20のうちの中央部の枢軸20は、縦枠材6 に対して上下動不能な固定枢軸とされている一方、上部及び下部の枢軸20は、縦枠材6 に対して上下摺動自在な可動枢軸とされている。
【００１２】
一方、図３乃至図５に示すように、落とし棒装置1 は、所定箇所の縦枠材6 の前縦桟9 と後縦桟10とにそれぞれ対応する位置に、 前後一対の落とし棒21,22 が上下動自在に保持されている。 詳述すると、 所定箇所における一対の縦枠材6 の前縦桟9 同士及び後縦桟10同士をそれぞれ連結している前連結ジョイント23及び後連結ジョイント24には、それぞれの内方への膨出部25,26 に円弧状のガイド用凹部27,28 が形成されており、 これらのガイド用凹部27,28 に、前落とし棒21及び後落とし棒22がそれぞれ上下動自在に嵌挿されている。この場合、前落とし棒21は、 上下方向の複数箇所、例えば上下２箇所の前連結ジョイント23のガイド用凹部27に跨って嵌挿されており、また同様にして、後落とし棒22も、上下方向の複数箇所、例えば上下２箇所の後連結ジョイント24のガイド用凹部28に跨って嵌挿されている。なお、各落とし棒21,22 は、 中空円筒状の棒状体とされている。
【００１３】
ところで、図５にその細部を示すように、 各連結ジョイント23,24 には、扉伸縮方向両側に張り出された平板状の座部29,30 が形成されており、これらの座部29,30 がそれぞれ、縦枠材6 における一対の前縦桟9 の前端面及び一対の後縦桟10の後端面に対して、ネジ31及び雌ネジ形成板32を用いて固定状態とされている。なお、一対の後縦桟10の後端面に対する後連結ジョイント24の固定部位においては、後縦桟10の湾曲状の後端面と座部30との間にスペーサ33が介設されている。
【００１４】
そして、図３及び図４に示すように、前落とし棒21及び後落とし棒22は、前後方向に延びる連結体34の両端にネジ35を用いて固定されており、この両者は一体的に上下動するように構成されている。また、連結体34の直上方には、前後方向に延びる中空円筒状の連結ロッド36が配設されており、この連結ロッド36は、前落とし棒21及び後落とし棒22にそれぞれ形成された貫通孔37,38 に挿通されて前後動可能に保持されている。そして、この連結ロッド36の両端部は、前落とし棒21及び後落とし棒22より両側外方に所定寸法だけ延出されており、その両端に手動操作用の前摘まみ体39及び後摘まみ体40がそれぞれ固定されている。なお、この各摘まみ体39,40 の先端には、ネジ部が形成されており、これらのネジ部が連結ロッド36の両端部に螺着されることにより、各摘まみ体39,40 が連結ロッド36に対して固定状態とされている。
【００１５】
更に、この連結ロッド36の直下方には、前後方向に延びる中空円筒状の従動ロッド41が配設されており、この従動ロッド41は、前落とし棒21から連結体34を経て後落とし棒22に至る部位に一直線状に形成された貫通孔42に挿通されて前後動可能に保持されている。そして、連結ロッド36及び従動ロッド41の前端には、上方に延出された長尺な前連結板43が前摘まみ体39及びネジ44を用いて固定されていると共に、連結ロッド36及び従動ロッド41の後端には、短尺な後連結板45が後摘まみ体40及びネジ46を用いて固定されている。
【００１６】
また、図４にその細部を示すように、前縦桟9 に対応する所定位置には、前連結板43と前連結ジョイント23との相互間においてその両者を係合及び離脱させる係脱機構47が備えられている。この係脱機構47は、前連結板43の上端部に固定されて内方に突出する略半球状の係合突起48と、上下２箇所の前連結ジョイントのうちの上側の前連結ジョイント23にネジ48を用いて固定された被係合体50とから構成されている。この場合、前連結板43の上端部に螺着されたネジ51の頭部が、係合突起48としての役目を果している。また、被係合体50は、前連結ジョイント23の外方側に形成された半円状の空間部52に配置され、その空間部52内において外方に突出している（図５参照）。この被係合体50は、台形状を呈しており、その水平状の上端面53が、係合突起48を係止させる被係止面とされていると共に、その傾斜面54が、係合突起48の上下動をガイドするガイド面とされている。
【００１７】
一方、後縦桟10に対応する所定位置においては、後連結板45と後落とし棒22との間に、弾性付勢体としての圧縮バネ55が介設されている。この圧縮バネ55は、従動ロッド41の後端部外周に所定の遊びを設けて巻回されており、その後端が後連結板45の前側面に当接し且つその前端が後落とし棒22の後面部にバネ受け板56を介して当接している。また、従動ロッド41の前端部外周には、その前端が前連結板43の後側面に当接する短尺な外筒体56が嵌合されており、この外筒体56は、前落とし棒21の前面部に形成された稍大径の貫通孔57を通じて前落とし棒21の内部空間に侵入している。そして、この外筒体56の後端は、前落とし棒21の後面部側における内周壁に対して当接及び離反するように構成されている。
【００１８】
なお、図１に示すように、門扉本体5 の伸縮方向中央部に配備された落とし棒装置1 の各落とし棒21,22 は、門扉本体5 を伸長させて出入口を閉鎖した時に、地面4 に形成されたロック用孔58に挿通することにより、門扉本体5 の中央部分の内外方向への移動を規制するために使用するものである。また、戸当たり支柱3 側の端部に配備された落とし棒装置1 の各落とし棒21,22 は、門扉本体5 を収縮させて吊り元支柱2 側の格納位置に寄せた時に、地面4 に形成されたロック用孔58に挿通して使用するものである。
【００１９】
以上のように構成された門扉の落とし棒装置1 によれば、前落とし棒21及び後落とし棒22が下動端位置にある場合、すなわち図３に実線で示すように前後一対の落とし棒21,22 の下端部が、地面4 に形成されたロック用孔58,58 にそれぞれ挿通されて門扉本体5 がロック状態にある場合において、例えば操作者が門扉本体5 の前側に居る場合には、操作者は、前摘まみ体39を摘まんでこれを上方所定位置まで押し上げるだけで、ロック状態の解除が完了する。
【００２０】
詳述すると、前摘まみ体39を上動させることにより、前後一対の落とし棒21,22 、連結体34、連結ロッド36、後摘まみ体40、従動ロッド41、前連結板43、後連結板45及び係合突起48が一体的に上動して、まず前後一対の落とし棒21,22 の下端部がロック用孔58,58 から抜け出る。この後、前摘まみ体39を更に上動させれば、係合突起48が被係合体50の傾斜面54に乗り上がり、この乗り上がりが行われることにより、圧縮バネ55が押し縮められ、前後一対の摘まみ体39,40 、連結ロッド36及び従動ロッド41が一体的に前方に移動する。そして、係合突起48が被係合体50の傾斜面54を乗り越えて上端面53に達した時点で、圧縮バネ55のバネ力により係合突起48が後方に移動し、図４に示すように前連結板43が被係合体50に当接した時点で、係合突起48が被係合体50の上端面53に係止された状態となる。これにより、落とし棒装置1 が図３及び図６に鎖線で示す状態となって、前後一対の落とし棒21,22 の下動が規制されると共に、圧縮バネ55のバネ力により係合突起48が被係合体50の上端面53に係止された状態を確実に維持できることになる。なお、図３に示すように、各落とし棒21,22 の下部にはそれぞれストッパ体21a,22a が固定されており、これらのストッパ体21a,22a が下方側の連結ジョイント23,24 に当接することにより、各落とし棒21,22 の過度な上動が規制されるようになっている。
【００２１】
このような状態から、門扉本体5 の前側に居る操作者が再びこれをロック状態とする場合には、圧縮バネ55のバネ力に抗して前摘まみ体39を前方に引っ張ることにより、係合突起48を前方に移動させて被係合体50の上端面53から離反させ、このような状態の下で前摘まみ体39を押し下げ或いは自重により下方に落下させる。これにより、上述の各構成要素が一体的に下動し、前後一対の落とし棒21, 22の下端部が地面4 のロック用孔58,58 に挿通された時点で、門扉本体5 がロック状態となる。なお、この時点においては、図４に示す従動ロッド41の前端部に嵌合されている外筒体56の後端が、前落とし棒21の内周壁に当接しており、これにより前後一対の摘まみ体39,40 等の後方への移動が規制される。
【００２２】
一方、門扉本体5 のロック状態を解除する操作者が、門扉本体5 の後側に居る場合には、その操作者が、後摘まみ体40を摘まんでこれを上動させることにより、上記と同様にして、係合突起48が被係合体50の上端面に係止される。また、このような状態から門扉本体5 を再びロック状態にする操作者が、門扉本体5 の後側に居る場合には、その操作者が、後摘まみ体40を摘まんでこれを僅かに前方に押した後に下動させることにより、上記と同様にして、前後一対の落とし棒21, 22の下端部が地面4 のロック用孔58,58 に挿通される。
【００２３】
以上のように、操作者が門扉本体5 の前側に居る場合には前摘まみ体39を操作することにより、また操作者が門扉本体5 の後側に居る場合には後摘まみ体40を操作することにより、門扉本体5 のロック及び解除が行えることになるので、操作者は、門扉本体5 の前側及び後側のいずれに居る場合であっても、パンタグラフ機構7 或いは縦枠材6 等が邪魔になることなく確実且つ容易に操作を行えることになり、操作性の向上が図られることになる。
【００２４】
また、落とし棒装置1 は、前後一対の落とし棒21,22 を有していることから、門扉本体5 における落とし棒装置1 の配設部位においては、前後２箇所においてロックされた状態となる。従って、風圧等の影響を受けて門扉本体5 のロック位置に捩じり方向の力が作用しても、２箇所のロック部位により門扉本体5 のガタツキや揺れ動き等が確実に防止され、ロック時における門扉本体5 の剛性が高められることになる。
【００２５】
更に、ロック状態の解除操作を行う場合には、前摘まみ体39又は後摘まみ体40のいずれか一方を単に上動させるだけで、圧縮バネ55の付勢力により係合突起48が被係合体50の上端面53に確実に係止された状態となり、またロック状態とするための操作を行う場合には、前摘まみ体39又は後摘まみ体40のいずれか一方を単に前方に僅かに移動させた後に下動させるだけで、前後一対の落とし棒21,22 がロック用孔58,58 に挿通された状態となる。従って、操作者はワンタッチの操作を行うだけでロック及び解除を完了でき、操作の簡便化並びにより一層の操作性の改善が図られる。
【００２６】
以上、本発明の実施形態について詳述したが、本発明はこの実施形態に限定されるものではない。
【００２７】
例えば、この実施形態では、本発明に係る落とし棒装置1 を伸縮門扉に採用した場合を例示したが、その他の門扉、例えば折り畳み式門扉や観音開き式門扉等についても同様に適用することが可能である。
【００２８】
また、この実施形態では、連結ジョイント23,24 に形成したガイド用凹部27, 28に各落とし棒21,22 を上下動可能に嵌挿したが、これに代えて、前縦桟9 及び後縦桟10の内部空間に、各落とし棒21,22 の上下動を案内するガイド体を配設して、これらのガイド体に各落とし棒21,22 を上下動可能に保持させると共に、係脱機構47も前縦桟9 の内部空間に配設するようにしてもよい。但し、このようにした場合には、門扉本体5 の収縮時に、対応する傾斜リンク17,18 が連結ロッド36や連結体34と干渉しないようにする必要がある。
【００２９】
更に、この実施形態では、係合突起48を後方に付勢する弾性付勢体として圧縮バネ55を使用し、この圧縮バネ55を後落とし棒22と後連結板45との間に介設したが、圧縮バネ55に代えて引っ張りバネを使用し、この引っ張りバネを前落とし棒21と前連結板43との間に介設するようにしてもよい。
【００３０】
ところで、落とし棒装置1 のより一層の操作性改善を勘案すれば、この弾性付勢体を備えていることが好ましいが、必要ならば、この弾性付勢体を廃止するようにしてもよい。そして、この弾性付勢体を廃止した場合には、被係合体50の上端面53に係止される係合突起48が容易に離脱しないように、被係合体50の上端面53を、前上がり状の傾斜面とするか或いは前端部が上方に突出する鉤形状とするなどの工夫が必要になる。
【００３１】
【発明の効果】
本発明によれば、前後一対の縦桟9 ，10を有する縦枠材6 を備え、該縦枠材6 に対応する位置に開閉動作を規制する落とし棒21，22を備えた門扉において、前後一対の各縦桟9 ，10に対応して配設され且つ一体に上下動可能に連結された前後一対の落とし棒21，22と、該前後一対の落とし棒21，22に前後動可能に挿通され且つ前後両端に手動操作用の摘まみ体39,40 を有する連結ロッド36と、前後一対の落とし棒21，22を上昇位置で係脱自在に保持する係脱機構47とを備え、係脱機構47は連結ロッド36の連結板43の上端部に設けられた係合突起48と、連結ロッド36の前後動により係合突起48が係脱自在に係合する被係止面53及び係合突起48をガイドする傾斜面54を有する被係合体50とを備え、係合突起48が被係合体50に係合する方向に連結ロッド36を付勢する弾性付勢体55を設けているので、門扉の前側及び後側のいずれからであっても、前後両端の摘まみ体39，40のうちの対応するいずれか一方を操作することにより、何ら邪魔されることなく、前後一対の落とし棒21，22を上下動させて容易且つ確実にロック操作及び解除操作を行えることになり、操作性の向上が図られることになる。
【００３２】
また、門扉における落とし棒装置1 の配設部位においては、前後において落とし棒21,22 によりロックされた状態となるので、門扉のロック位置に捩じり方向の力が作用しても、門扉のガタツキや揺れ動き等が生じなくなり、ロック時における門扉の剛性が高められることになる。
【図面の簡単な説明】
【図１】（ａ）及び（ｂ）は本発明の一実施形態を示す落とし棒装置の周辺全体の平面図及び正面図である。
【図２】本発明の一実施形態を示す落とし棒装置の側面図である。
【図３】本発明の一実施形態を示す落とし棒装置の拡大側面図である。
【図４】本発明の一実施形態を示す落とし棒装置の要部破断拡大側面図である。
【図５】図２のＡ─Ａ線に従って切断した要部拡大横断平面図である。
【図６】本発明の一実施形態を示す落とし棒装置の拡大正面図である。
【符号の説明】
1   落とし棒装置
6   縦枠材
9   縦桟（前縦桟)
10  縦桟（後縦桟)
21  落とし棒 (前落とし棒)
22  落とし棒 (後落とし棒)
39  手動操作体 (前摘まみ体)
40  手動操作体 (後摘まみ体)
47  係脱機構
【図１】
0003783196.tif 000002
【図２】
0003783196.tif 000003
【図３】
0003783196.tif 000004
【図４】
0003783196.tif 000005
【図５】
0003783196.tif 000006
【図６】
0003783196.tif 000007